(57)【要約】【課題】室内機と接続する電線と、接続弁や配管とを分離し両者の直接の接触を防ぐことができる空気調和機の室外機を提供する。【解決手段】外箱天面２と、外箱左側板（図示せず）、外箱右側板４で覆われ、一方の側板側の基板６上に、電装品箱７と機械室８を配置し、機械室８側の側面に設けられ室内機（図示せず）に連通する配管１２ａ、１２ｂを接続する接続弁９ａ、９ｂと、電装品箱７の側面側に配され室内機と接続する電線１６を接続するターミナル１０と、接続弁９ａ、９ｂとターミナル１０を覆う電源カバー１１を備え、電源カバー１１に、配管１２ａ、１２ｂを室内機に連通する開口部１３と、開口部１３の上端に位置し電線１６が貫通する電線貫通部１７を設けたもので、電線１６と、配管１２ａ、１２ｂや接続弁９ａ、９ｂとの直接の接触を防ぎ、電線１６の被覆の損傷による漏電などの危険を回避することができる。【選択図】図２
2011007407.tif 000002
【特許請求の範囲】
【請求項１】
天面と相対する側面と前面を外箱で覆い、一方の側面側の基板上に、上部に電装品箱を、下部に圧縮機等冷凍サイクル部品を収納している機械室をそれぞれ配置し、前記機械室側の側面に設けられ室内機に連通する配管を接続するための一対の接続弁と、前記電装品箱の側面側に配され前記室内機と接続する電線を接続するためのターミナルと、前記一対の接続弁と前記ターミナルを覆う電源カバーを備え、前記電源カバーに、前記配管を前記室内機へと連通する開口部と、前記開口部の上端に位置し前記電線が貫通する電線貫通部を設けたことを特徴とする空気調和機の室外機。
【請求項２】
電線貫通部の開口部側に、凸状突起を設けたことを特徴とする請求項１に記載の空気調和機の室外機。
【請求項３】
電線貫通部の開口部側の凸状突起にネジが貫通するネジ穴部を設け、他端にかぎ状突起部を設け、更に相対する外箱の側板に、前記ネジが締め付けられるネジ固定穴と、前記かぎ状突起部が挿入されるかぎ状突起部挿入孔を配置したことを特徴とする請求項２に記載の空気調和機の室外機。
【発明の詳細な説明】
【技術分野】
【０００１】
本発明は、空気調和機の室外機に関するもので、特に、室内機と接続する電線を接続するターミナルや配管を接続する接続弁を覆う電源カバーを具備した空気調和機の室外機に関するものである。
【背景技術】
【０００２】
従来、この種の空気調和機の室外機の電源カバーは、室内機と接続する電線を接続するターミナルや配管を接続する接続弁を覆うと共に、前記ターミナルや接続弁から室内機へ接続する電線や配管を連通する開口部を具備していた（例えば、特許文献１参照）。
【０００３】
図８は、従来の空気調和機の室外機の側面図である。
【０００４】
図８において、従来の空気調和機の室外機１の側面に、室内機（図示せず）と配管接続する一対の接続弁９ａ、９ｂと、電線接続するターミナル１０を覆う電源カバー１１１を配置し、前記電源カバー１１１には、配管１２ａ、１２ｂと電線１６を室内機へと連通する開口部１１３が設けられている。
【先行技術文献】
【特許文献】
【０００５】
【特許文献１】特開平０５−１３３５７１号公報
【発明の概要】
【発明が解決しようとする課題】
【０００６】
しかしながら、上記従来の空気調和機の室外機の構成では、室内機と接続する電線１６と配管１２ａ、１２ｂを、一つの狭い電源カバー１１１の開口部１１３より引き出しているため、電線１６が接続弁９ａ、９ｂや配管１２ａ、１２ｂに直接触れる恐れがあり、特に高圧側の接続弁（９ａ又は９ｂ）や配管（１２ａ又は１２ｂ）に接触すると、電線１６の被覆を損傷し、漏電や短絡するという課題を有していた。
【０００７】
本発明は、前記従来の課題を解決するもので、電源カバーの開口部の一部に、電線専用の貫通空間を設け、室内機と接続する電線と、接続弁や配管とを分離し両者の直接の接触を防ぐことができる空気調和機の室外機を提供することを目的とする。
【課題を解決するための手段】
【０００８】
前記従来の課題を解決するために本発明の空気調和機の室外機は、天面と相対する側面と前面を外箱で覆い、一方の側面側の基板上に、上部に電装品箱を、下部に圧縮機等冷凍サイクル部品を収納している機械室をそれぞれ配置し、前記機械室側の側面に設けられ室内機に連通する配管を接続するための一対の接続弁と、前記電装品箱の側面側に配され前記室内機と接続する電線を接続するためのターミナルと、前記一対の接続弁と前記ターミナルを覆う電源カバーを備え、前記電源カバーに、前記配管を前記室内機へと連通する開口部と、前記開口部の上端に位置し前記電線が貫通する電線貫通部を設けたもので、室内機と接続する電線と、配管や接続弁との距離を十分に確保し、両者の直接の接触を防ぎ、電線被覆の損傷による漏電や短絡といった危険を回避し、安全性の高い商品を提供することができる。
【発明の効果】
【０００９】
本発明の空気調和機の室外機は、室内機と接続する電線と、配管や接続弁とを分離し、
両者の直接の接触を防ぎ、電線被覆の損傷による漏電や短絡といった危険を回避することが出来る。
【図面の簡単な説明】
【００１０】
【図１】本発明の第１の実施の形態における空気調和機の室外機の正面図
【図２】同室外機の側面図
【図３】同室外機の要部背面図
【図４】本発明の第２の実施の形態における空気調和機の室外機の要部背面図
【図５】本発明の第３の実施の形態における空気調和機の室外機の要部背面図
【図６】同室外機の要部断面拡大図
【図７】同室外機の要部側面拡大図
【図８】従来の空気調和機の室外機の側面図
【発明を実施するための形態】
【００１１】
第１の発明は、天面と相対する側面と前面を外箱で覆い、一方の側面側の基板上に、上部に電装品箱を、下部に圧縮機等冷凍サイクル部品を収納している機械室をそれぞれ配置し、前記機械室側の側面に設けられ室内機に連通する配管を接続するための一対の接続弁と、前記電装品箱の側面側に配され前記室内機と接続する電線を接続するためのターミナルと、前記一対の接続弁と前記ターミナルを覆う電源カバーを備え、前記電源カバーに、前記配管を前記室内機へと連通する開口部と、前記開口部の上端に位置し前記電線が貫通する電線貫通部を設けたもので、室内機と接続する電線と、配管や接続弁との距離を十分に確保し、両者の直接の接触を防ぎ、電線被覆の損傷による漏電や短絡といった危険を回避し、安全性の高い商品を提供することができる。
【００１２】
第２の発明は、特に、第１の発明の電線貫通部の開口部側に、凸状突起を設けたもので、電線貫通部に室内機と接続する電線を確実に収納し、電線と、配管や接続弁とを分離し両者の直接の接触を確実に防ぎ、電線被覆の損傷による漏電や短絡といった危険を回避し、より安全性の高い空気調和機の室外機を提供することができる。
【００１３】
第３の発明は、特に、第２の発明の電線貫通部の開口部側の凸状突起にネジが貫通するネジ穴部を設け、他端にかぎ状突起部を設け、更に相対する外箱の側板に、前記ネジが締め付けられるネジ固定穴と、前記かぎ状突起部が挿入されるかぎ状突起部挿入孔を配置したもので、室内機と接続する電線と、配管や接続弁とを分離し両者の直接の接触を確実に防ぐとともに電線をネジ止め固定でき、電線被覆の損傷による漏電や短絡といった危険を回避できるとともに従来のコード止め具を省略でき、部品点数の削減やコスト低減をはかりつつより安全性に優れた空気調和機の室外機を提供することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の室外機の正面図、図２は、同室外機の側面図、図３は、同室外機の要部背面図である。
【００１６】
図１、図２及び図３において、本実施の形態における空気調和機の室外機１の天面と、相対する側面と、前面は、外箱天板２、外箱左側板３、外箱右側板４、外箱前板５のそれぞれで覆われている。前記外箱右側板４側の基板６上には、上部に電装品箱７、下部に圧縮機等冷凍サイクル部品（図示せず）を収納している機械室８を配置している。
【００１７】
前記機械室８側の側面に、室内機（図示せず）と接続される配管１２ａ、１２ｂを接続
する一対の接続弁９ａ、９ｂを、室内機と接続される電線１６を接続するターミナル１０を電装品箱７の側面側にそれぞれ配置し、さらに前記一対の接続弁９ａ、９ｂとターミナル１０を覆う電源カバー１１を配置している。
【００１８】
電源カバー１１には、前記一対の接続弁９ａ、９ｂから配管１２ａ、１２ｂを室内機へと連通する開口部１３と、前記ターミナル１０からコード押さえ具１４を介してネジ１５で固定された電線１６が貫通し、室内機へと連通する電線貫通部１７を前記開口部１３の上端に設けた構成になっている。
【００１９】
以上のように構成された本実施の形態における空気調和機の室外機について、以下その動作と作用について説明する。
【００２０】
接続弁９ａ、９ｂに接続された配管１２ａ、１２ｂは、電源カバー１１の開口部１３より室内機へ連通し、ターミナル１０に接続された電線１６は、前記開口部３の上端に位置する電線貫通部１７を貫通して、室内機へと連通される。
【００２１】
以上のように本実施の形態では、室外機１には、天面と、相対する側面と、前面を、外箱天板２、外箱左側板３、外箱右側板４、外箱前板５で覆い、前記外箱右側板４側の基板６上に、上部に電装品箱７、下部に圧縮機等冷凍サイクル部品を収納している機械室８を配置し、前記機械室８側の側面に室内機と配管接続する一対の接続弁９ａ、９ｂと、電線接続するターミナル１０を電装品箱７の側面側に配置し、さらに前記一対の接続弁９ａ、９ｂとターミナル１０を覆う電源カバー１１を配置し、前記電源カバー１１に、前記一対の接続弁９ａ、９ｂから配管１２ａ、１２ｂを室内機へと導通する開口部１３と、前記ターミナル１０からコード押さえ具１４を介してネジ１５で固定された電線１６を室内機へと連通する電線貫通部１７を前記開口部１３の上端に設けることにより、接続弁９ａ、９ｂに接続された配管１２ａ、１２ｂは、電源カバー１１の開口部１３より室内機へ連通し、ターミナル１０に接続された電線１６は、前記開口部１３の上端に位置する電線貫通部１７より室内機へと連通されることにより、室内機と接続する電線１６と、配管１２ａ、１２ｂや接続弁９ａ、９ｂとの距離が十分確保され、両者同士の直接の接触を防ぎ、電線１６の被覆の損傷による漏電や短絡といった危険を回避し、安全性の高い空気調和機の室外機を提供することができる。
【００２２】
（実施の形態２）
図４は、本発明の第２の実施の形態における空気調和機の室外機の要部背面図である。尚、上記実施の形態１における空気調和機の室外機と同一部分には同一符号を付してその説明を省略する。
【００２３】
本実施の形態における空気調和機の室外機は、図４に示すように、電源カバー１１の電線貫通部１７の開口部１３側に凸状突起１８ａを設けたもので、他の構成は、上記実施の形態１と同一である。
【００２４】
以上のように構成された本実施の形態における空気調和機の室外機について、以下その動作と作用について説明する。
【００２５】
接続弁９ａ、９ｂにそれぞれ接続された配管１２ａ、１２ｂは、電源カバー１１の開口部１３より室内機へ連通し、ターミナル１０に接続された電線１６は、前記開口部１３の上端に位置する電線貫通部１７より室内機へと連通されると同時に、開口部１３側に設けられた凸状突起１８により保持されることになる。
【００２６】
以上のように本実施の形態によれば、電源カバー１１の電線貫通部１７の開口部１３側
に凸状突起１８を設けたことにより、接続弁９ａ、９ｂに接続された配管１２ａ、１２ｂは、電源カバー１１の開口部１３より室内機へ連通し、ターミナル１０に接続された電線１６は、前記開口部１４の上端に位置する電線貫通部１７より室内機へと連通されると同時に、開口部１３側に設けられた凸状突起１８により保持されるので、室内機と接続する電線１６と、配管１２や接続弁９ａ、９ｂとが確実に分離され、両者の直接の接触を確実に防ぎ、電線１６の被覆の損傷による漏電や短絡といった危険を回避し、より安全性の高い商品を提供することができる。
【００２７】
（実施の形態３）
図５は、本発明の第３の実施の形態における空気調和機の室外機の要部背面図、図６は、同室外機の要部断面拡大図、図７は、同室外機の要部側面拡大図である。尚、上記実施の形態における空気調和機の室外機と同一部分には同一符号を付してその説明を省略する。
【００２８】
図５〜７において、本実施の形態における空気調和機の室外機は、電源カバー１１の電線貫通部１７の開口部１３側に凸状突起１８ｂを設け、その凸状突起１８ｂに、ネジ２３が貫通するネジ穴部１９を設け、他端にかぎ状突起部２０を設け、更に相対する外箱右側板４に、ネジ２３が締め付けられるネジ固定穴２１と、かぎ状突起部２０が挿入されるかぎ状突起部挿入孔２２を設けた構成になっている。
【００２９】
以上のように構成された本実施の形態における空気調和機の室外機について、以下その動作と作用について説明する。
【００３０】
接続弁９ａ、９ｂに接続された配管１２ａ、１２ｂは、電源カバー１１の開口部１３より室内機へ連通し、ターミナル１０に接続された電線１６は、前記開口部１３の上端に位置する電線貫通部１７より室内機へと連通されると同時に、電線１６は、電源カバー１１の電線貫通部１７のかぎ状突起部２０を外箱右側板４のかぎ状突起部挿入孔２２に挿入し、電源カバー１１の凸状突起１８ｂのネジ穴部１９にネジ２３を通し、そのネジ２３をネジ固定穴２１に締め付けることで、外箱右側板４に固定される。
【００３１】
以上のように本実施の形態によれば、電源カバー１１の電線貫通部１７の開口部１３側の凸状突起部１８ｂにネジ穴部１９を設け、他端にかぎ状突起部２０を設け、更に相対する外箱右側板４に、ネジ固定穴２１とかぎ状突起部挿入孔２２を設けた構成になっているので、接続弁９ａ、９ｂに接続された配管１２ａ、１２ｂは、電源カバー１１の開口部１３より室内機へ連通し、ターミナル１０に接続された電線１６は、前記開口部１３の上端に位置する電線貫通部１７より室内機へと連通されると同時に、電線１６は、電源カバー１１の電線貫通部１７のかぎ状突起部２０を外箱右側板４のかぎ状突起部挿入孔２２に挿入し、電源カバー１１の凸状突起部１８ｂのネジ穴部１９にネジ２３を介して外箱右側板４に固定されることになるので、室内機と接続する電線１６と、配管１２や接続弁９ａ、９ｂとを確実に分離し、両者の直接の接触を確実に防ぎ、電線１６の被覆の損傷による漏電や短絡といった危険を回避できるとともに、接続する電線１６をネジ止め固定できることにより従来のコード押さえ具１４を省略することが可能となり、部品点数の削減やコスト低減をはかりつつより安全性の高い空気調和機の室外機を提供することができる。
【産業上の利用可能性】
【００３２】
以上のように、本発明に係る空気調和機の室外機は、室内機と接続する電線と、配管や接続弁との距離を十分に確保し、両者の直接の接触を防ぎ、電線被覆の損傷による漏電や短絡といった危険を回避し、安全性の高いもので、各種空気調和機の室外機に適用できる。
【符号の説明】
【００３３】
１  室外機
２  外箱天面
３  外箱左側板
４  外箱右側板
６  基板
７  電装品箱
８  機械室
９ａ、９ｂ  接続弁
１０  ターミナル
１１  電源カバー
１２ａ、１２ｂ  配管
１３  開口部
１６  電線
１７  電線貫通部
１８、１８ｂ  凸状突起
【図１】
2011007407.tif 000003
【図２】
2011007407.tif 000004
【図３】
2011007407.tif 000005
【図４】
2011007407.tif 000006
【図５】
2011007407.tif 000007
【図６】
2011007407.tif 000008
【図７】
2011007407.tif 000009
【図８】
2011007407.tif 000010